(57)【要約】      （修正有）【課題】人前であっても周囲の人に迷惑を掛けないで、ひそかに身だしなみを点検できる鏡面の扱い方にかかわる鏡面の形態と使用法の提供。【解決手段】携帯するに、ごく普通に１６分の１に折り畳んだハンカチーフの布地の間に鏡面を取り付け、ハンカチーフを使用している振りをして鏡面を盗み見できる様にして、ひそかに身だしなみを点検できるようにした。また、ハンカチーフへの鏡面の取り付け方につき、クリップ式、磁気吸着式、額縁による差し込み式の３方法を考案した。さらに、鏡面付ハンカチーフを多くの人に使ってもらうために、店頭の展示棚では折り畳んだハンカチーフの上（表）に鏡面を取り付けてミラーバッヂのようにして販売促進効果を上げるようにした。【選択図】なし【特許請求の範囲】
【請求項１】
通常ハンカチーフを携帯する時の折り畳み方で、１６分の１サイズに折り畳んだハンカチーフに、鏡面をクリップの機構で取り付けて成る鏡面つきハンカチーフ  である。
（イ）鏡面とクリップの結合は、クリップの挟み端部を枠加工して、メガネレンズのように、その枠に鏡面をはめ込む方法と、クリップの挟み端部の一端を薄く、平らに鏡面と同サイズ、同形に広げて、そこに鏡面を貼り付けて結合する２つの仕様を採用する。クリップの材質は金属またはプラスチックスとするが、軽さと強度と美観上から、金属ではチタン、プラスチックスではアクリル樹脂または、高級品として貴金属も使用できるものとする。
（ロ）鏡面付クリップの挟み端部の一端は鏡面体であり、他の一端はハンカチーフの布地を挟んで鏡面の裏面を挟み押さえ付けて固定するが、鏡面裏面を押さえるクリップの挟み端部の形状およびサイズは、鏡面体と同形、同サイズとする。これはハンカチーフと鏡面体の密着を良くし、鏡面を見るとき鏡面体の端部がハンカチーフの布地より浮き上がるのを防止し、手の中の折り畳まれたハンカチーフの中の鏡面を覗くとき、ハンカチーフの動きと鏡面の動きを同調させて鏡面に顔を写し易くするものである。
（ハ）鏡面の取り付け位置は、１６分の１に折り畳まれたハンカチーフの折り目を一度だけ左右に開いて、開いた折り目を対称にして左右双方にある１６分の１、サイズのどちらかのスペースの中央に鏡面をクリップ機構を使い挟み込み固定する。但し、ハンカチーフの布地を挟み鏡面体の裏面を押さえ付けるクリップの挟み端部は、折り畳まれたハンカチーフの表側に出ないようにハンカチーフの折り畳み布地層の間に隠れるように挟み込む。尚、鏡面体を押さえ付けるクリップの挟み端部をハンカチーフの折り畳み層の間に隠すことは、鏡面付ハンカチーフを携帯し、使用する時に不用意にクリップの挟み端部が何かに触れ鏡面が脱落するのを防ぐ技術である。
【請求項２】
携帯するに１６分の１に折り畳まれたハンカチーフの布地層の間に鏡面を磁気の吸着性を利用して取り付けて成る、鏡面つきハンカチーフ。
（イ）鏡面の裏面全面にシート状ゴム磁石を貼り加工（接着）して成る鏡面体と、ハンカチーフの布地を挟んでこの鏡面裏面のゴム磁石に磁力で吸着させるシート状ゴム磁石から成る磁気吸着プレートの２部品で構成する。この磁気吸着プレートの形およびサイズは、鏡面と同形、同サイズとし、磁気の極性も鏡面裏面のゴム磁石と正しい位置で吸着仕合うようＮ極とＳ極が引き合うよう設定する事によりハンカチーフ布地を挟んで鏡面を固定できる。
（ロ）シート状ゴム磁石から成る磁気吸着プレートは、材質上欠け易く不安感を与えるので装飾性ある補強をする。この、シート状ゴム磁石から成る磁気吸着プレートの吸着させる反対面（裏面）の全面を金属またはプラスチックスで裏打ちし補強する。但し、磁気圧着プレートの裏面全面裏打ちにおいて、軽量化と、美観上からパンチングメタルまたはパンチングプラスチックスが使えるものとする。尚、裏打ち材は金属ではチタンまたはステンレス、プラスチックスでは、アクリル樹脂とする。
（ハ）鏡面の取り付け位置は、
【請求項１】
の（ハ）に同じく、１６分の１に折り畳まれたハンカチーフの折り目を一度だけ左右に開いて、開いた折り目を対称にして左右双方にある１６分の１サイズのどちらかのスペース中央に鏡面を磁気吸着プレートで固定する。但し、指定スペースに鏡面の置かれた位置の１枚下の折り畳まれているハンカチーフ布地の層間に磁気吸着プレートの吸着面を上にして鏡面裏面の磁気面と向かい合い吸着するよう挿入して固定する。
【請求項３】
携帯する時の折り畳み方で、１６分の１サイズに折り畳んだハンカチーフに、鏡面をはめ込む額縁を縫い付けて、その額縁に鏡面を挿入、はめ込んで成る鏡面つきハンカチーフである。
（イ）鏡面をはめ込む額縁は、四つの辺を持つ四方額縁とするがハンカチーフ布地に縫い付ける辺は三辺とし、他の一辺は縫い付けず、その端部は直角に交わる他の辺の端部に接続または一体化しているものとする。鏡面の取り付け方は、ハンカチーフ布地に縫い付け無かった額縁の一辺とハンカチーフ布地の間より鏡面を挿入して取り付け固定する。
（ロ）鏡面および鏡面をはめ込み固定する額縁の取り付け位置は、
【請求項１】
の（ハ）に同じく１６分の１に折り畳まれたハンカチーフの折り目を一度だけ左右に開いて、開いた折り目を対称にして左右双方にある１６分の１サイズの、どちらかのスペース中央に鏡面を挿入する額縁で取り付ける。
（ハ）額縁の三辺はハンカチーフ布地に縫い付けるが他の一辺は縫い付け固定せず鏡面の挿入口として浮かして置くが、この挿入口となる額縁の一辺は、必ず１６分の１に折り畳まれたハンカチーフの折り目を一度だけ左右に開く時の折り目に近い方向に平行して設定しなくてはならない。この技術は、鏡面付ハンカチーフを携帯するとき鏡面が額縁の挿入口より抜け出した場合に、ハンカチーフの折り目に当たり抜けぬようにする脱落防止の技術である。
（ニ）ハンカチーフに縫い付け鏡面を挿入固定する額縁の材質は、鏡面を取り付けるハンカチーフと同質の布地とするが、皮革またはレザー等も使用できるものとする。
【請求項４】
鏡面付ハンカチーフにおいて、鏡面の大きさ（サイズ）を特定する。ハンカチーフの間に忍ばせた鏡面を、人に気づかれぬように、そおっと覗きいて顔や髪の点検をする目的から、その様子を写せる最小限の大きさ（サイズ）とする。またハンカチーフとしても顔の汗おさえ（汗拭き）程度の実用性を持たせるため、折り畳まれたハンカチーフの中に異物感を感じさせないためにも鏡面は最小限の大きさ（サイズ）とする。
（イ）鏡として働く鏡面のサイズ（額縁に隠れる鏡面の部分は含ませないで）は１６分の１に折り畳まれたハンカチーフのサイズの４分の１から８分の１の範囲（６０ｍｍ〜３５ｍｍ×６０ｍｍ〜３５ｍｍ）を鏡面サイズの範囲とする。
（ロ）前項（イ）に特定したサイズの鏡面は方形であるが、丸い顔または髪を写すには必ずしも方形鏡面の角部分は無くても鏡面機能は維持できるので、本考案のサイズ内で鏡面の角部分を丸く削り、楕円形や円形または変形した丸みある鏡面も使用可能範囲とする。また、方形鏡面の角部分を削り取ることは鏡面の軽量化にも有効である。
【請求項５】
ハンカチーフの店頭販売での展示効果を上げるミラーバッジ用法。
（イ）店頭で折り畳まれて展示されるハンカチーフの上に本考案の鏡面をミラーのバッジのように取り付けて展示するとハンカチーフをより美しく魅力的に見せることができ販売効果を上げる事ができる。
（ロ）折り畳まれたハンカチーフを３枚または５枚をセットで販売する場合に鏡面に付属するクリップ（クリップタイプの鏡面）で３枚または５枚ごと挟み込めば、重ねたハンカチーフのセットが崩れるのを防ぐことができる。また裏面に磁気シートゴムを裏打ちした鏡面の場合も押さえプレートのゴム磁石とともに、重ねられたハンカチーフセットの押さえウエイト（重り）として働き、セットの崩れを防ぐことができる。
（ハ）店頭での折り畳まれたハンカチーフの表面に鏡面をバッヂのようにアクセサリー的に取り付けて商品魅力を増すミラーバッジは、ハンカチーフの販売を促進する技術である。さらに、ハンカチーフの組セットの上に取り付けた本考案の鏡面はサービス品としてお客様にハンカチーフと共にお渡しする景品にもなり、後程、お客様に鏡面つきハンカチーフとしてご活用願うものである。
【発明の詳細な説明】
【技術分野】
【０００１】  本発明は、携帯用に折り畳んだハンカチーフに、小型の鏡面を取り付けて顔の化粧や髪の乱れを点検することを目的とした身だしなみ点検機能を付与したハンカチーフに関する技術である。但し、化粧直し機能は目的としないので、化粧用コンパクトの様な化粧用品（パウダーなど）は取り付け対象にしない。
【背景技術】
【０００２】  従来外出先での顔の化粧点検および頭の髪の身だしなみ点検には、ケース入りの携帯鏡や櫛ケースにセットされた鏡面、または化粧直し用パウダーコンパクトにセットされた鏡面をハンドバッグより取り出して顔や髪の身だしなみの点検をしてきたが、人前で鏡面を取り出し身だしなみの点検をすることは、大変に目立つ行為であり近くの人に不快感を与える行為であった。しかも、鏡面にて身だしなみ点検後、実際に化粧直しが必要に成る機会は３０％以下であり、その他は身だしなみを点検できたと言う安心感を得ていたものである。この安心感のために比較的おおげさな目立つ化粧道具としての鏡面をいちいち取り出さなければならなかった。
【発明が解決しようとする課題】
【０００３】  外出先での身だしなみ点検行為と化粧直し行為を完全に分けて課題を設定した。本発明では、人前で密かに身だしなみを鏡面にて点検する技術を課題とし、この点検により化粧直しの必要な場合には、人前から席を立ち、化粧室または人の居ない所にて化粧直しをする設定で課題を定めた。従来は、鏡面にて身だしなみのみの点検をしようとしても大袈裟な化粧直しの小道具としての鏡をハンドバッグから取り出さなくてはならず、大変に目立つ行為であり、また近くの人に不快感を与える行為でもあった。
【課題を解決するための手段】
【０００４】  通常ハンカチーフを携帯する時の１６分の１に折り畳まれた形態で、その折り畳まれたハンカチーフの布地層の間に小型の鏡面を取り付けて成る鏡面付ハンカチーフ。
（イ）携帯用に折り畳まれたハンカチーフ表面に鏡面が出ない様に内側層に鏡面を取り付けるものとし。その位置は１６分の１に折り畳まれたハンカチーフの折り目を一度だけ開いた内側の左右どちらかのスペースの中央に鏡面を取り付ける。
（ロ）鏡面の大きさは、目立たないこと、折り畳んだハンカチーフよりはみ出ないこと、顔および頭の髪が見られる最小限の大きさとして、ハンカチーフを１６分の１に折り畳んだサイズの４分の１から８分の１を鏡面の大きさとした。
（ハ）鏡面の保護は、鏡面を挟み込むハンカチーフの布地が保護材の役目をする。
（ニ）携帯する折り畳まれたハンカチーフに取り付け、挟み込まれた鏡面は、ハンカチーフを本を開くようにそおっと開き覗き見できる。したがって、目立たないように鏡面を見ることができる。
（ホ）ハンカチーフに鏡面を取り付けた状態でも、鏡面は小さくて折り畳まれたハンカチーフの布地の層の中程に取り付けられているので、ある程度ハンカチーフ本来の機能を持たせることができる。例として、手に握り込み手の汗を取る、顔の汗を軽く押さえる、何かの汚れまたは塵を払う、などは可能とする。
【発明の効果】
【０００５】  携帯に折り畳んだハンカチーフに鏡面を忍ばせて取り付けた事により、人前でもハンカチーフを使う振りをして、人知れずに鏡面を盗み見することで、顔および髪の身だしなみの点検が密かにできるようになり、周囲の人に迷惑を掛けなくて済む様に成った。
【発明を実施するための最良の形態】
【０００６】  発明の実施の形態を実施例に基づき図面を参照して説明する。
携帯するために折り畳まれたハンカチーフに小型鏡を取り付ける方法を示す。まず図１において、ハンカチーフを１６分の１に折り畳む線を示し、図２の（ａ）（ｂ）（ｃ）（ｄ）は１６分の１に折り畳む手順を示している。この折り畳み方は、  一般にハンカチーフを携帯する時、広く用いられる普通の折り畳み方である。これらの極普通に折り畳まれたハンカチーフに小型の鏡面を取り付ける位置は
【請求項１】
の（ハ）に示した通り１６分の１に折り畳まれたハンカチーフの折り目を一度だけ左右に開いて、開いた折り目を対称にして左右双方にある図３に示すどちらか一方のスペースの  中央に鏡面を取り付けてなる鏡面付ハンカチーフである。
【実施例１】
【０００７】  鏡面体にクリップを取り付け、１６分の１に折り畳まれたハンカチーフの所定の位置に図４の（ａ）（ｂ）に示す、そのクリップの挟み込む機能を利用して鏡面をハンカチーフの布地に固定する。鏡面体にクリップを取り付ける方法は、クリップに鏡面をはめ込む枠縁を取り付け、その枠縁に鏡面をはめ込む方法と、図５  の（ａ）（ｂ）（ｃ）（ｄ）（ｅ）（ｆ）（ｇ）に示すクリップに取り付けされた鏡面裏面の補強を兼ねたプレートに鏡面を接着する２つの取り付け仕様を使う。
【実施例２】
【０００８】  鏡面の裏面にシート状ゴム磁石を取り付け、ハンカチーフの布地を挟んで、その鏡面裏面のゴム磁石に吸着させる鏡面と同形同サイズのシート状ゴム磁石の吸着プレートと２つの部分、図６の（ａ）（ｂ）より成る鏡面の取り付け機構である。尚、この吸着プレートにおいてシート状ゴム磁石単体では欠け易いので、強度を増すために  吸着プレートの裏面を金属またはプラスチックスの板で補強する。これら図７の（ａ）（ｂ）（ｃ）（ｄ）（ｅ）（ｆ）のように鏡面体と吸着プレートで携帯用に折り畳まれたハンカチーフの所定の位置に固定して成る鏡面付ハンカチーフである。
【実施例３】
【０００９】  折り畳まれたハンカチーフの所定の位置に鏡面をはめ込む額縁を縫い付けて、図８の（ａ）（ｂ）（ｃ）に示す額縁に鏡面をはめ込んで成る鏡面付ハンカチーフである。図９の（ａ）（ｂ）（ｃ）（ｄ）（ｅ）（ｆ）（ｇ）（ｈ）（ｉ）（ｊ）（ｋ）は  意匠図と説明図である。額縁は四方額縁であるがハンカチーフ布地への縫い付けは額縁３辺とし他の１辺は縫い付けずに鏡面の挿入口とする。この場合、ハンカチーフ布地へ縫い付けない額縁の一辺は必ず左右に開く時のハンカチーフの折り目（綴じ目）に近く折り目に平行した一辺とする。この技術は万一、鏡面が額縁より抜け出した場合に折り畳まれたハンカチーフの折り目（綴じ目）に当たり脱落を防止する。
【実施例４】
【００１０】  本考案の主たる用途は、折り畳まれたハンカチーフの布地の間に鏡面を忍ばせる様に取り付けて、上半身の身だしなみを点検することであるが、もう一つの用途として販売促進の上で、ハンカチーフを展示台またはショーケースの中で展示するとき、折り畳まれて展示されるが、このとき折り畳まれたハンカチーフの上に本案の鏡面を乗せる様に取り付けて奇麗に引き立ててハンカチーフの購買意欲をもり立てる効果がある。さらにハンカチーフ３枚、また５枚を重ねセット販売するとき図１０の（ａ）（ｂ）のようにハンカチーフを重ねて上から鏡面のクリップを利用して止めるか、または、鏡面つき押さえプレートとして押さえて止める。また、セットで重ねるハンカチーフを少しずつずらせて重ねて止めると図１１のようにさらに展示効果が上がる。折り畳まれたハンカチーフにバッヂのように鏡面を取り付けて展示効果を上げる手法である。
【図面の簡単な説明】
【００１１】
【図１】  ハンカチーフの折り畳み線を示す斜視図
【図２】  ハンカチーフの折り畳み順を示す斜視図  （ａ）２つおり、（ｂ）４つ折り、（ｃ）８つ折り、（ｄ）１６分の１折りの斜視図
【図３】  １６分の１に折り畳まれたハンカチーフの鏡面取り付け位置を示す
【図４】  （ａ）ハンカチーフにクリップ機構で鏡面を取り付けた斜視図  （ｂ）クリップ機構を持つ鏡面
【図５】  クリップ機構を持つ鏡面の説明図  （ａ）正面図、（ｂ）背面図、（ｃ）左側面図、（ｄ）右側面図、（ｅ）平面図、（ｆ）Ａ−Ａ’断面図、（ｇ）クリップ機構でハンカチーフ布地を挟み込んで固定した鏡面の斜視図
【図６】  （ａ）ハンカチーフに磁気の吸着性により鏡面を取り付けた斜視図  （ｂ）磁気シート付き鏡面と、同じく磁気シート付き吸着プレートの斜視図
【図７】  磁気吸着機構を持つ鏡面の説明図  （ａ）正面図、（ｂ）背面図、（ｃ）左側面図、（ｄ）平面図、（ｅ）ハンカチーフ布地を挟んで磁気で吸着した鏡面と吸着プレートの断面説明図、（ｆ）ハンカチーフ布地を挟んで磁気で吸着した鏡面と吸着プレートの斜視図
【図８】  （ａ）ハンカチーフに額縁を取り付けて鏡面をはめ込んだ斜視図  （ｂ）ハンカチーフに取り付ける額縁の斜視図、（ｃ）鏡面体
【図９】  ハンカチーフに額縁を縫い付けて鏡面を取り付ける説明図  （ａ）額縁の正面図、（ｂ）額縁の背面図、（ｃ）額縁の左側面図  （ｄ）額縁の右側面図、（ｅ）額縁の平面図、（ｆ）額縁のＡ−Ａ’断面図、（ｇ）額縁のＢ−Ｂ’断面図、（ｈ）額縁をハンカチーフに縫い付けた正面図、（ｉ）額縁をハンカチーフに縫い付けたＣ−Ｃ’断面図、（ｊ）額縁をハンカチーフに縫い付けたＤ−Ｄ’断面図、（ｋ）額縁をハンカチーフに縫い付けた斜視図
【図１０】  鏡面をミラーバッヂとしてハンカチーフを束ねた状態の説明斜視図  （ａ）鏡面のクリップを利用してハンカチーフを束ねた斜視図  （ｂ）磁気吸着機構の鏡面のウエイト（重さ）にてハンカチーフの束を押さえている斜視図
【図１１】  ハンカチーフをずらせて重ねた状態で束ねた斜視図
【符号の説明】
【００１２】なし
2005226207.tif 000002
2005226207.tif 000003
2005226207.tif 000004
2005226207.tif 000005
2005226207.tif 000006
2005226207.tif 000007
2005226207.tif 000008
2005226207.tif 000009
2005226207.tif 000010
2005226207.tif 000011
【手続補正書】
【提出日】平成16年5月21日(2004.5.21)
【手続補正１】
【補正対象書類名】明細書
【補正対象項目名】０００７
【補正方法】変更
【補正の内容】
【０００７】  鏡面体にクリップを取り付け、１６分の１に折り畳まれたハンカチーフの所定の位置に図４の（ａ）（ｂ）に示す、そのクリップの挟み込む機能を利用して鏡面をハンカチーフの布地に固定する。鏡面体にクリップを取り付ける方法は、クリップに鏡面をはめ込む枠縁を取り付け、その枠縁に鏡面をはめ込む方法と、図５の（ａ）（ｂ）（ｃ）（ｄ）（ｅ）（ｆ）に示すクリップに取り付けされた鏡面裏面の補強を兼ねたプレートに鏡面を接着する２つの取り付け仕様を使う。
【手続補正２】
【補正対象書類名】明細書
【補正対象項目名】０００８
【補正方法】変更
【補正の内容】
【０００８】  鏡面の裏面にシート状ゴム磁石を取り付け、ハンカチーフの布地を挟んで、その鏡面裏面のゴム磁石に吸着させる鏡面と同形同サイズのシート状ゴム磁石の吸着プレートと２つの部分、図６の（ａ）（ｂ）（ｃ）より成る鏡面の取り付け機構である。尚、この吸着プレートにおいてシート状ゴム磁石単体では欠け易いので、強度を増すために吸着プレートの裏面を金属またはプラスチックスの板で補強する。これら図７の（ａ）（ｂ）（ｃ）（ｄ）（ｅ）のように鏡面体と吸着プレートで携帯用に折り畳まれたハンカチーフの所定の位置に固定して成る鏡面付ハンカチーフである。
【手続補正３】
【補正対象書類名】明細書
【補正対象項目名】０００９
【補正方法】変更
【補正の内容】
【０００９】  折り畳まれたハンカチーフの所定の位置に鏡面をはめ込む額縁を縫い付けて、図８の（ａ）（ｂ）（ｃ）（ｄ）に示す額縁に鏡面をはめ込んで成る鏡面付ハンカチーフである。図９の（ａ）（ｂ）（ｃ）（ｄ）（ｅ）（ｆ）（ｇ）は意匠図、図１０の（ａ）（ｂ）（ｃ）は説明図である。額縁は四方額縁であるがハンカチーフ布地への縫い付けは額縁３辺とし他の１辺は縫い付けずに鏡面の挿入口とする。この場合、ハンカチーフ布地へ縫い付けない額縁の一辺は必ず左右に開く時のハンカチーフの折り目（綴じ目）に近く折り目に平行した一辺とする。この技術は万一、鏡面が額縁より抜け出した場合に折り畳まれたハンカチーフの折り目（綴じ目）に当たり脱落を防止する。
【手続補正４】
【補正対象書類名】明細書
【補正対象項目名】００１０
【補正方法】変更
【補正の内容】
【００１０】  本考案の主たる用途は、折り畳まれたハンカチーフの布地の間に鏡面を忍ばせる様に取り付けて、上半身の身だしなみを点検することであるが、もう一つの用途として販売促進の上で、ハンカチーフを展示台またはショーケースの中で展示するとき、折り畳まれて展示されるが、このとき折り畳まれたハンカチーフの上に本案の鏡面を乗せる様に取り付けて奇麗に引き立ててハンカチーフの購買意欲をもり立てる効果がある。さらにハンカチーフ３枚、また５枚を重ねセット販売するとき図１１の（ａ）（ｂ）のようにハンカチーフを重ねて上から鏡面のクリップを利用して止めるか、または、鏡面つき押さえプレートとして押さえて止める。また、セットで重ねるハンカチーフを少しずつずらせて重ねて止めると図１２のようにさらに展示効果が上がる。折り畳まれたハンカチーフにバッヂのように鏡面を取り付けて展示効果を上げる手法である。
【手続補正５】
【補正対象書類名】明細書
【補正対象項目名】００１１
【補正方法】変更
【補正の内容】
【００１１】
【図１】  ハンカチーフの折り畳み線を示す斜視図
【図２】  ハンカチーフの折り畳み順を示す斜視図  （ａ）２つおり、（ｂ）４つ折り、（ｃ）８つ折り、（ｄ）１６分の１折りの斜視図
【図３】  １６分の１に折り畳まれたハンカチーフの鏡面取り付け位置を示す
【図４】  （ａ）ハンカチーフにクリップ機構で鏡面を取り付けた斜視図（ｂ）クリップ機構を持つ鏡面
【図５】  クリップ機構を持つ鏡面の説明図  （ａ）正面図、（ｂ）背面図、（ｃ）左側面図、（ｄ）右側面図、（ｅ）平面図、（ｆ）Ａ−Ａ’断面図、
【図６】  （ａ）ハンカチーフに磁気の吸着性により鏡面を取り付けた斜視図（ｂ）磁気シート付き鏡面と、同じく磁気シート付き吸着プレートの斜視図、（ｃ）ハンカチーフの布地を挟んで磁気で吸着固定した鏡面と吸着プレートの斜視図
【図７】  磁気吸着機構を持つ鏡面の説明図  （ａ）正面図、（ｂ）背面図、（ｃ）左側面図、（ｄ）平面図、（ｅ）ハンカチーフ布地を挟んで磁気で吸着した鏡面と吸着プレートの断面説明図、
【図８】  （ａ）ハンカチーフに額縁を取り付けて鏡面をはめ込んだ斜視図（ｂ）ハンカチーフに取り付ける額縁の斜視図、（ｃ）鏡面体、（ｄ）ハンカチーフに額縁を縫い付け鏡面を挿入した斜視図
【図９】  ハンカチーフを挿入する額縁の意匠図  （ａ）額縁の正面図、（ｂ）額縁の背面図、（ｃ）額縁の左側面図（ｄ）額縁の右側面図、（ｅ）額縁の平面図、（ｆ）額縁のＡ−Ａ’断面図、（ｇ）額縁のＢ−Ｂ’断面図、
【図１０】ハンカチーフに額縁を縫い付ける説明図  （ａ）額縁を縫い付けた正面図、（ｂ）額縁のＡ−Ａ’断面図、（ｃ）額縁のＢ−Ｂ’断面図、
【図１１】鏡面をミラーバッヂとしてハンカチーフを束ねた状態の説明斜視図  （ａ）鏡面のクリップを利用してハンカチーフを束ねた斜視図（ｂ）磁気吸着機構の鏡面のウエイト（重さ）にてハンカチーフの束を押さえている斜視図
【図１２】ハンカチーフをずらせて重ねた状態で東ねた斜視図
【手続補正６】
【補正対象書類名】明細書
【補正対象項目名】００１２
【補正方法】変更
【補正の内容】
【００１２】      １  ハンカチーフ
２  鏡面
３  クリップ
４  磁気シート付鏡面
５  磁気シート付プレート
６  額縁
７  縫い糸目
８  鏡面取り付け位置
９  ハンカチーフの折り畳み線
【手続補正７】
【補正対象書類名】図面
【補正対象項目名】全図
【補正方法】変更
【補正の内容】
【図１】
2005226207.tif 000012
【図２】
2005226207.tif 000013
【図３】
2005226207.tif 000014
【図４】
2005226207.tif 000015
【図５】
2005226207.tif 000016
【図６】
2005226207.tif 000017
【図７】
2005226207.tif 000018
【図８】
2005226207.tif 000019
【図９】
2005226207.tif 000020
【図１０】
2005226207.tif 000021
【図１１】
2005226207.tif 000022
【図１２】
2005226207.tif 000023